(57)【特許請求の範囲】
【請求項１】
ネットワークを介して互いに接続される管理装置および情報機器を含む、情報処理システムであって、
前記管理装置は、
複数の機種で共通の設定項目に関する共通設定画面を規定する共通設定画面情報を保持する画面情報保持手段
を含み、
前記情報機器は、
当該情報機器の機種に対応した機種依存の設定項目に関する機種依存設定画面を規定する機種依存設定画面情報を記憶する画面情報記憶手段と、
前記複数の機種で共通の設定項目と前記機種依存の設定項目とを含む設定項目選択画面を表示する制御を行う設定項目選択画面表示制御手段と、
前記設定項目選択画面を介して前記複数の機種で共通の設定項目の選択を受け付けたとき、前記管理装置に対し、前記共通設定画面情報を要求する要求手段と、
前記設定項目選択画面を介して前記機種依存の設定項目の選択を受け付けたとき、前記画面情報記憶手段から前記機種依存設定画面情報を取得する取得手段と、
前記管理装置から取得した前記共通設定画面情報に基づき、前記共通設定画面を表示する制御を行う共通設定画面表示制御手段と、
前記画面情報記憶手段から取得した前記機種依存設定画面情報に基づき、前記機種依存設定画面を表示する制御を行う機種依存設定画面表示制御手段と
を含む、情報処理システム。
【請求項２】
前記情報機器は、
前記機種依存の設定項目の設定値を記憶する設定値記憶手段
をさらに含み、
前記機種依存設定画面情報は、前記機種依存の設定項目への設定値の設定操作を受け付ける操作受付部を定義する情報と、前記設定操作に応答して前記設定値記憶手段に前記機種依存の設定項目の設定値を設定する呼び出しを定義する情報とを含む、請求項１に記載の情報処理システム。
【請求項３】
前記管理装置は、
複数の機種に共通した前記共通の設定項目の設定値を保持する設定値保持手段と、
前記情報機器からの前記共通設定画面を介した前記共通の設定項目への設定要求に応答して、前記設定要求にかかる設定値を前記設定値保持手段に設定する設定手段と
をさらに含む、請求項１または２に記載の情報処理システム。
【請求項４】
前記情報機器は、
当該情報機器の周辺機器の接続状態に応じた前記機種依存の設定情報が表示されるよう前記機種依存設定画面情報を変更する変更手段
をさらに含む、請求項１〜３のいずれか１項に記載の情報処理システム。
【請求項５】
前記共通設定画面表示制御手段および前記機種依存設定画面表示制御手段は、前記共通設定画面および前記機種依存設定画面が結合された設定画面を表示することを特徴とする、請求項１〜４のいずれか１項に記載の情報処理システム。
【請求項６】
前記情報機器は、
遷移先を示す記憶位置識別情報を解析する解析手段と、
前記解析手段による解析結果に基づいて、遷移先の設定画面を規定する画面情報の取得先が当該情報機器であるかを判定する判定手段と
をさらに含む、請求項１〜５のいずれか１項に記載の情報処理システム。
【請求項７】
前記機種依存設定画面は、背景色、画像情報、文字情報および音声情報から選択された少なくとも１つの属性で差異を有することにより前記共通設定画面と区別される、請求項１〜６のいずれか１項に記載の情報処理システム。
【請求項８】
前記共通設定画面から前記機種依存設定画面への遷移操作に応答して、遷移前の前記共通設定画面を規定する前記共通設定画面情報を保存する保存手段
をさらに含み、
前記共通設定画面表示制御手段は、前記機種依存設定画面上での戻る遷移操作に応答して、前記保存手段により保存された前記共通設定画面情報を読み出し、前記共通設定画面を再表示することを特徴とする、請求項１〜７のいずれか１項に記載の情報処理システム。
【請求項９】
前記取得手段および前記機種依存設定画面表示制御手段は、前記情報機器のブラウザとして実装され、
前記情報機器は、前記管理装置に対し、前記ブラウザを介してリクエストを送信して画面情報を取得し、
前記画面情報に基づいて表示された前記設定項目選択画面を介して前記機種依存の設定項目の選択を受け付けたとき、前記画面情報に含まれるスクリプトコードを実行することによって、前記取得手段により前記画面情報記憶手段から前記機種依存設定画面情報を取得し、
前記機種依存設定画面表示制御手段による前記機種依存設定画面に遷移させることを特徴とする、請求項１〜８のいずれか１項に記載の情報処理システム。
【請求項１０】
前記管理装置は、さらに、
前記情報機器に対し、処理実行を要求するための処理実行要求手段
を含み、
前記情報機器は、
前記管理装置からの前記処理実行の要求に応答して、前記要求にかかる処理を実行する処理実行制御手段
を含む、請求項１〜９のいずれか１項に記載の情報処理システム。
【請求項１１】
ネットワークを介して互いに接続される管理装置および情報機器間で実行される設定方法であって、
前記情報機器が、複数の機種で共通の設定項目と機種依存の設定項目とを含む設定項目選択画面を表示する制御を行うステップと、
前記設定項目選択画面を介して前記複数の機種で共通の設定項目の選択を受け付けたとき、前記情報機器が、前記管理装置に対し、前記複数の機種で共通の設定項目に関する共通設定画面を規定する共通設定画面情報を要求するステップと、
前記管理装置が、前記情報機器に対し、要求された前記共通設定画面情報を送信するステップと、
前記情報機器が、前記管理装置から受信した前記共通設定画面情報に基づき前記共通設定画面を表示する制御を行うステップと、
前記設定項目選択画面を介して前記機種依存の設定項目の選択を受け付けたとき、前記情報機器が、当該情報機器の機種に対応した機種依存の設定項目に関する機種依存設定画面を規定する機種依存設定画面情報を、当該情報機器の記憶装置から取得するステップと、
前記情報機器が、当該情報機器の記憶装置から取得した前記機種依存設定画面情報に基づき前記機種依存設定画面を表示する制御を行うステップと
を含む、設定方法。
【請求項１２】
前記情報機器が、前記共通設定画面を表示する制御を行うステップと、前記機種依存設定画面を表示する制御を行うステップとを実行することにより、前記共通設定画面および前記機種依存設定画面が結合された設定画面を表示するステップ
をさらに含む、請求項１１に記載の設定方法。
【請求項１３】
ネットワークを介して管理装置と接続する情報機器であって、前記情報機器は、
当該情報機器の機種に対応した機種依存の設定項目に関する機種依存設定画面を規定する機種依存設定画面情報を記憶する画面情報記憶手段と、
前記複数の機種で共通の設定項目と前記機種依存の設定項目とを含む設定項目選択画面を表示する制御を行う設定項目選択画面表示制御手段と、
前記設定項目選択画面を介して前記複数の機種で共通の設定項目の選択を受け付けたとき、前記管理装置に対し、複数の機種で共通の設定項目に関する共通設定画面を規定する共通設定画面情報を要求する要求手段と、
前記設定項目選択画面を介して前記機種依存の設定項目の選択を受け付けたとき、前記画面情報記憶手段から前記機種依存設定画面情報を取得する取得手段と、
前記管理装置から取得した前記共通設定画面情報に基づき、前記共通設定画面を表示する制御を行う共通設定画面表示制御手段と、
前記画面情報記憶手段から取得した前記機種依存設定画面情報に基づき、前記機種依存設定画面を表示する制御を行う機種依存設定画面表示制御手段と
を含む、情報機器。
【請求項１４】
ネットワークを介して管理装置と接続可能な情報機器を実現するためのプログラムであって、コンピュータを、
当該情報機器の機種に対応した機種依存の設定項目に関する機種依存設定画面を規定する機種依存設定画面情報を記憶する画面情報記憶手段、
前記複数の機種で共通の設定項目と前記機種依存の設定項目とを含む設定項目選択画面を表示する制御を行う設定項目選択画面表示制御手段、
前記設定項目選択画面を介して前記複数の機種で共通の設定項目の選択を受け付けたとき、前記管理装置に対し、複数の機種で共通の設定項目に関する共通設定画面を規定する共通設定画面情報を要求する要求手段、
前記設定項目選択画面を介して前記機種依存の設定項目の選択を受け付けたとき、前記画面情報記憶手段から前記機種依存設定画面情報を取得する取得手段、
前記管理装置から取得した前記共通設定画面情報に基づき、前記共通設定画面を表示する制御を行う共通設定画面表示制御手段、および、
前記画面情報記憶手段から取得した前記機種依存設定画面情報に基づき、前記機種依存設定画面を表示する制御を行う機種依存設定画面表示制御手段
として機能させるためのプログラム。
【発明の詳細な説明】
【技術分野】
【０００１】
本発明は、情報処理システム、設定方法、情報機器およびプログラムに関する。
【背景技術】
【０００２】
従来、複合機などの情報機器に搭載されたブラウザ機能を用いて、サーバ上にあるコンテンツを設定画面などのユーザ・インタフェースとして表示し、情報機器の各種ジョブ実行および各種設定値の設定を可能とする技術が知られている。
【０００３】
上記情報機器に各種設定操作するための設定画面は、情報機器の機種に依存した画面を含む可能性がある。このため、従来技術では、サーバ上で、情報機器の機種に依存した画面を表示するための画面情報を機種毎に準備する必要があった。また、新規な機能を搭載した情報機器を導入する場合、新規のアプリケーション・プログラミング・インタフェース（ＡＰＩ）などのインタフェースを搭載することを要する場合がある。ひいては、サーバ側のメンテナンスコストが増大する点で、充分なものではなかった。
【０００４】
上記機種依存に対する対処として、例えば、特許第３７８０２０５号公報（特許文献１）が知られている。上記特許文献１に記載された従来技術では、ネットワークモジュールのデータ保持に必要な容量およびコストを削減することを目的として、機種依存するデータとネットワーク上の機種非依存のデータとをそれぞれ保持してデータを外部装置が提供される。
【発明の概要】
【発明が解決しようとする課題】
【０００５】
本発明は、上記点に鑑みてなされたものであり、本発明は、ネットワークを介して互いに接続される管理装置および情報機器を含む情報処理システムにおいて、共通設定に関する共通設定画面を規定する設定画面情報を、機種依存の設定画面情報から切り離して管理装置上で管理することを可能とし、機種依存の部分の変更に伴う管理装置側での負荷を軽減することが可能な情報処理システムを提供することを目的とする。
【課題を解決するための手段】
【０００６】
本発明は、上記課題を解決するために、下記特徴を有する、ネットワークを介して互いに接続される管理装置および情報機器を含む情報処理システムを提供する。管理装置は、複数の機種で共通の設定項目に関する共通設定画面を規定する共通設定画面情報を保持する画面情報保持手段を含む。情報機器は、当該情報機器の機種に対応した機種依存の設定項目に関する機種依存設定画面を規定する機種依存設定画面情報を記憶する画面情報記憶手段を含む。情報機器は、さらに、上記管理装置に対し、上記共通設定画面情報を要求する要求手段と、上記記憶手段から前記機種依存設定画面情報を取得する取得手段と、上記管理装置から取得した共通設定画面情報に基づき、共通設定画面を表示する第１表示手段と、上記画面情報記憶手段から取得した上記機種依存設定画面情報に基づき、上記機種依存設定画面を表示する第２表示手段とを含む。
【発明の効果】
【０００７】
上記構成により、ネットワークを介して互いに接続される管理装置および情報機器を含む情報処理システムにおいて、共通設定に関する共通設定画面を規定する設定画面情報を、機種依存の設定画面情報から切り離して管理装置上で管理することを可能とし、機種依存の部分の変更に伴う管理装置側での負荷を軽減することが可能な情報処理システムを提供することを目的とする。
【図面の簡単な説明】
【０００８】
【図１】本実施形態による画像形成システムを示す概略図。
【図２】本実施形態による機器管理サーバのハードウェア構成を示す図。
【図３】本実施形態による画像形成装置のハードウェア構成を示す図。
【図４】本実施形態による画像形成システムの構成を示すブロック図。
【図５】本実施形態において（Ａ）機器管理サーバ側および（Ｂ）画像形成装置側でそれぞれ保持される設定項目の設定値を例示するテーブル。
【図６】本実施形態による機器管理システムで実行される設定処理を示すシーケンス図。
【図７】特定の実施形態において画像形成装置のブラウザ画面上で表示される設定画面を説明する図。
【図８】他の実施形態において画像形成装置のブラウザ画面上で表示される設定画面を説明する図。
【図９】さらに他の実施形態において画像形成装置のブラウザ画面上で表示される設定画面を説明する図。
【図１０】画像形成装置のウェブ・コンテンツ・データを例示する図。
【図１１】本実施形態による機器構成管理部が保持する周辺機器の接続状態を表す周辺機器接続状態テーブルのデータ構造を例示する図。
【図１２】本実施形態による機器管理システムにおける画像形成装置の置換え処理を示すシーケンス図。
【図１３】本実施形態による画像形成装置上で表示される画像形成装置の置換え、返却および変更を行うためのライフサイクル管理画面を例示する図。
【図１４】本実施形態による機器管理サーバ上で管理されるデータのデータ構造を示す図。
【図１５】本実施形態による画像形成装置の置換え前後での各種設定処理を示すシーケンス図（１／２）。
【図１６】本実施形態による画像形成装置の置換え前後での各種設定処理を示すシーケンス図（２／２）。
【図１７】本実施形態による画像形成装置を（Ａ）置換える前および（Ｂ）置換えた後の画面遷移を示す図。
【図１８】他の実施形態による機器管理システムで実行される設定処理を示すシーケンス図。
【図１９】機器管理サーバから取得した共通設定画面と、画像形成装置内で取得した機種依存設定画面とを結合した設定画面および該設定画面のＨＴＭＬコードを例示する図。
【図２０】さらに他の実施形態による画像形成装置が実行するＵＲＬの解析により遷移先画面の取得先を判定する処理を示すフローチャート。
【図２１】さらに他の実施形態における、ブラウザ画面上での戻る操作に対処した処理を示すフローチャート。
【発明を実施するための形態】
【０００９】
以下、本実施形態について説明するが、本実施形態は、以下に説明する実施形態に限定されるものではない。なお、以下に説明する実施形態では、情報処理システムおよび情報機器として、機器管理システム１００および画像形成装置１５０を一例として説明する。
【００１０】
図１は、本実施形態による機器管理システム１００を示す概略図である。図１に示すように、機器管理システム１００は、情報機器を管理する機器管理サーバ１１０と、機器管理サーバ１１０により管理される情報機器としての画像形成装置１５０とを含み構成される。なお、図１には、２台の画像形成装置１５０ａ，１５０ｂが示されているが、機器管理サーバ１１０が管理する情報機器の数は、特に限定されるものではない。
【００１１】
図１には、機器管理サーバ１１０が管理する画像形成装置１５０が設置されたロケーションとして、官公庁、医療機関、教育機関、企業などの組織体のオフィス１０６ａ，１０６ｂが例示されている。画像形成装置１５０ａ，１５０ｂは、それぞれ、有線、無線あるいはこれらの混合のローカル・エリア・ネットワーク（ＬＡＮ）１０４に接続される。ＬＡＮ１０４は、さらに、ルータなどを介して、インターネットなどの公衆ネットワーク１０２へと接続されている。オフィス１０６ａ，１０６ｂ内の画像形成装置１５０ａ，１５０ｂと、オフィス１０６ａ，１０６ｂから離間して設置される機器管理サーバ１１０とは、公衆ネットワーク１０２を介して接続される。
【００１２】
機器管理サーバ１１０は、特に限定されるものではないが、パーソナル・コンピュータ、ワークステーション、サーバ・コンピュータなどの汎用コンピュータとして構成され、機器管理に関するサーバ機能を提供する。なお、機器管理サーバ１１０は、該サーバ機能を有する物理サーバとして提供されてもよいし、該サーバ機能を有する仮想マシンを稼働させる物理サーバとして提供されてもよい。特定の実施形態において、機器管理サーバ１１０は、情報機器管理サービスを提供するサービス提供者側の拠点に設置されてもよい。あるいは、他の実施形態では、ローカル・エリア・ネットワーク１０４と機器管理サーバ１１０が設置されるネットワークとが、ＶＰＮや専用線などによるプライベート・ネットワークを介して接続されるような態様であってもよいし、機器管理サーバ１１０がＬＡＮ１０４上に設けられるような態様であってもよいし、特に限定されるものではない。
【００１３】
画像形成装置１５０は、特に限定されるものではないが、印刷処理やスキャナ処理を実行する複合機、プリンタなどの画像形成装置を挙げることができる。しかしながら、機器管理サーバ１１０により管理される対象としては、特に限定されるものではなく、スキャナなどの画像読取装置、ファクシミリなどの画像通信装置などを含む如何なる情報機器であってよい。
【００１４】
本実施形態による機器管理サーバ１１０は、公衆ネットワーク１０２を介して、画像形成装置１５０を利用するための機能をクラウドサービスとして提供する。本実施形態において、画像形成装置１５０を使用するトリガ（画像読取要求や印刷要求など）は、クラウドサービスから実施され、画像形成装置１５０は、クラウドサービスからの要求に応じて、各種画像処理（画像読取処理や印刷処理など）を実行するよう構成されている。
【００１５】
より具体的には、本実施形態において、機器管理サーバ１１０は、管理対象である画像形成装置１５０に対し、クラウドサービスとして、各種設定値を設定するための設定画面を規定するウェブ・コンテンツ・データを提供する。画像形成装置１５０は、ウェブ・ブラウザ機能を備えており、機器管理サーバ１１０から提供されるウェブ・コンテンツ・データを表示することにより、当該画像形成装置１５０の各種設定画面などのＧＵＩ（グラフィカル・ユーザ・インタフェース）を表示する。
【００１６】
上述したように、機器管理サーバ１１０から設定画面を規定するコンテンツ・データを提供する場合、機器管理サーバ１１０側で、画像形成装置１５０の機種に依存した画面を表示するため、機種依存の画面情報を機種毎に準備することが求められる。さらに、新規の機能を搭載した画像形成装置が導入される場合、機器管理サーバ１１０側で、新規機能に対応して新規アプリケーション・プログラミング・インタフェース（ＡＰＩ）を搭載することが求められる場合がある。
【００１７】
そこで、本実施形態による機器管理システム１００では、複数の機種で共通の設定項目に関する共通設定画面に関しては、機器管理サーバ１１０が、該共通設定画面を規定する共通設定画面情報を保持する。一方で、画像形成装置１５０は、当該画像形成装置１５０の機種に対応した機種依存の設定項目に関する機種依存設定画面を規定する機種依存設定画面情報を記憶装置上で記憶する。画像形成装置１５０は、複数の機種で共通の設定項目に関する場合は、機器管理サーバ１１０に対し、共通設定画面情報を要求する。画像形成装置１５０は、一方、機種依存の設定項目に関する場合は、自身が備える記憶手段から機種依存設定画面情報を取得する。画像形成装置１５０は、画面遷移に応答して、機器管理サーバ１１０から取得した共通設定画面情報または記憶装置から取得した機種依存設定画面情報に基づき、共通設定画面または機種依存設定画面を表示する。
【００１８】
好適な実施形態においては、画像形成装置１５０の各種設定値については、共通的な設定項目に関するものについては、機器管理サーバ１１０上で保持することができる。画像形成装置１５０の機種に依存する設定項目については、画像形成装置１５０側で保持することができる。上記機種依存設定画面情報は、機種依存の設定項目への設定値の設定操作を受け付ける操作受付部を定義する情報と、設定操作に応答して機種依存の設定項目の設定値を設定する呼び出し（ＡＰＩ呼び出し）を定義する情報とを含むことができる。
【００１９】
上記構成により、機器管理サーバ１１０と連携して設定画面の表示を行う画像形成装置１５０において、機種依存する設定値のＡＰＩや設定画面を新規追加するに際して生じる、機種依存の設定画面やＡＰＩを開発するためのサーバ側のメンテナンスコストの削減を図る。
【００２０】
以下、図２〜図１７を参照しながら、本実施形態による機器管理システム１００で実行される設定処理について、より詳細を説明する。
【００２１】
以下、図２および図３を参照しながら、まず、機器管理システム１００を構成する装置のハードウェア構成について説明する。
【００２２】
図２は、本実施形態による機器管理サーバ１１０のハードウェア構成を示す図である。機器管理サーバ１１０は、汎用コンピュータなどとして構成されている。図２に示す機器管理サーバ１１０は、シングルコアまたはマルチコアのＣＰＵ（Central Processing Unit）１２と、ＲＡＭ（Random Access Memory）１４と、ＲＯＭ（Read Only Memory）１６と、ＨＤＤ（Hard Disk Drive）１８と、入力装置２０と、表示装置２２と、通信インタフェース機器２４とを含み構成される。
【００２３】
ＣＰＵ１２は、機器管理サーバ１１０内部の処理などの全体制御を行う。ＲＡＭ１４は、ＣＰＵ１２の作業領域を提供する。ＲＯＭ１６は、ＢＩＯＳ（Basic Input / Output System）などを記憶する。ＨＤＤ１８は、コンピュータ装置を制御するためのＯＳ、後述する機能部を実現するためのプログラムや各種システム情報や各種設定情報を格納する。
【００２４】
入力装置２０は、マウス、キーボード、タッチスクリーンパネルなどの入力装置である。表示装置２２は、液晶ディスプレイ装置、有機ＥＬ（Electroluminescence）ディスプレイなどの表示装置である。入力装置２０および表示装置２２は、操作者からの各種指示の入力を受け付けるためのユーザ・インタフェースを提供する。通信インタフェース機器２４は、ＮＩＣ（Network Interface Card）などの機器管理サーバ１１０をネットワーク１０２に接続させるインタフェース機器である。
【００２５】
本実施形態による機器管理サーバ１１０は、ＲＯＭ１６やＨＤＤ１８からプログラムを読み出し、ＲＡＭ１４が提供する作業空間に展開することにより、ＣＰＵ１２の制御の下、後述する各部および各処理を実現する。
【００２６】
図３は、本実施形態による画像形成装置１５０のハードウェア構成を示す。画像形成装置１５０は、画像形成機能および画像読取機能を備えた画像形成装置として構成されている。図３に示す画像形成装置１５０は、コントローラボード５０上に、シングルコアまたはマルチコアのＣＰＵ５２と、ＲＯＭ５４と、ＣＰＵ５２の作業領域を提供するＲＡＭ５６と、画像メモリ５８と、通信インタフェース機器６０とを備える。コントローラボード５０には、さらに、操作パネル６２と、スキャナ６４と、プロッタ６６とが接続される。
【００２７】
ＣＰＵ５２は、画像形成装置１５０内部の画像処理や設定値設定、ブラウザなどの動作を制御する。ＲＯＭ５４は、画像形成装置１５０を機能させるためのプログラムを格納する。ＲＡＭ５６は、ＣＰＵ５２の作業領域を提供し、ＲＯＭ５４またはＨＤＤなどに格納されているプログラムを実行する。画像メモリ５８は、スキャンや印刷での画像処理に利用する作業領域を提供する。通信インタフェース機器６０は、ＩＥＥＥ８０２．１１などの規格に従った無線ＬＡＮアダプタやＮＩＣなどの画像形成装置１５０をネットワーク１０４に接続させるインタフェース機器である。
【００２８】
操作パネル６２は、コントローラボード５０と接続され、液晶パネルなどの表示装置と、タッチスクリーンパネルなどの入力装置とを備える。操作パネル６２は、ブラウザ画面を表示し、操作者からの各種指示の入力を受付け、画面表示を行なうためのユーザ・インタフェースを提供する。スキャナ６４は、コントローラボード５０からの画像読取の実行指令に応答して、画像読取処理を実行する。プロッタ６６は、コントローラボード５０からの画像形成の実行指令に応答して、ホスト・コンピュータからの印刷データやスキャナ６４により読み取られた画像読取データに基づき画像形成処理を実行する。
【００２９】
以下、図４〜図１７を参照しながら、本実施形態による機器管理システム１００における、画像形成装置の各種設定処理について、より詳細に説明する。図４は、本実施形態による機器管理システム１００の構成を示すブロック図である。図４には、機器管理サーバ１１０が備えるモジュール構成２１０と、画像形成装置１５０が備えるモジュール構成２５０とが示されている。
【００３０】
機器管理サーバ１１０は、モジュール構成２１０として、ライフサイクル制御部２１２と、機器マッピング部２１４と、ジョブ制御部２１６と、機器情報管理部２１８と、通信インタフェース部２２０とを含み構成される。
【００３１】
ライフサイクル制御部２１２は、画像形成装置１５０やウェブサイトなどからの、画像形成装置１５０の設置、置換えまたは破棄の要求を受け付けて、情報機器のライフサイクル状態を管理する。
【００３２】
機器マッピング部２１４は、画像形成装置１５０に割り当てられている実デバイス識別子（以下、実デバイスＩＤと参照する。）と、画像形成装置１５０を管理するための論理デバイス識別子（以下、論理デバイスＩＤと参照する。）との関連付けを管理する。機器マッピング部２１４は、画像形成装置を新規に設置する際には、論理デバイスＩＤを採番し、当該新規の画像形成装置の実デバイスＩＤと紐付けて記憶する。機器マッピング部２１４は、設置済みの画像形成装置を破棄する際には、当該画像形成装置の論理デバイスＩＤを破棄する。機器マッピング部２１４は、画像形成装置を置換えする際には、置換え対象の画像形成装置の実デバイスＩＤに紐付いている論理デバイスＩＤを検索し、置換え後の新規の画像形成装置の実デバイスＩＤに紐付け直す。機器マッピング部２１４は、実デバイスＩＤから対応する論理デバイスＩＤの検索、および、論理デバイスＩＤから対応する実デバイスＩＤの検索を行う機能を提供する。
【００３３】
ジョブ制御部２１６は、ユーザから論理デバイスＩＤが指定されたジョブを受け付け、対応する画像形成装置１５０に対してジョブの実行要求を行う。機器管理サーバ１１０のジョブ制御部２１６は、本実施形態における、処理実行要求手段を構成する。
【００３４】
機器情報管理部２１８は、管理対象となる画像形成装置１５０の実デバイスＩＤ、カウンタ情報、設置場所、設定情報および機種を示す機種コードを管理する。説明する実施形態において、機器情報管理部２１８は、さらに、共通の設定項目に関する共通設定画面を規定する共通設定画面情報を保持し、複数の機種に共通した共通の設定項目の設定値を保持する。なお、本実施形態において、共通設定画面情報は、ＨＴＭＬ（HyperText Markup Language）による文書やＪａｖａＳｃｒｉｐｔ（登録商標）によるスクリプトコードを含むウェブ・コンテンツ・データとして提供される。機器情報管理部２１８は、画像形成装置１５０からの共通設定画面を介した共通の設定項目への設定要求に応答して、設定要求にかかる設定値を設定することができる。機器情報管理部２１８は、本実施形態における、画面情報保持手段、設定値保持手段および設定手段を構成する。
【００３５】
通信インタフェース部２２０は、図２に示した通信インタフェース機器２４を制御するソフトウェア・モジュールである。通信インタフェース部２２０は、上述したライフサイクル制御部２１２、機器マッピング部２１４、ジョブ制御部２１６および機器情報管理部２１８と、画像形成装置１５０との間で、ネットワーク１０２，１０４を介した通信を制御する。
【００３６】
画像形成装置１５０は、モジュール構成２５０として、通信インタフェース部２５２と、ジョブ制御部２５４と、設定値記憶部２５６と、コンテンツ記憶部２５８と、ブラウザ部２６０と、機器構成管理部２６６とを含み構成される。
【００３７】
通信インタフェース部２５２は、図３に示した通信インタフェース機器６０を制御するソフトウェア・モジュールである。通信インタフェース部２５２は、ジョブ制御部２５４、設定値記憶部２５６およびブラウザ部２６０と、機器管理サーバ１１０との間で、ネットワーク１０２，１０４を介した通信を制御する。
【００３８】
ジョブ制御部２５４は、図３に示したスキャナ６４およびプロッタ６６を制御して、機器管理サーバ１１０からのジョブ実行の要求に応答して、スキャンや印刷などのジョブを実行する。ジョブ制御部２５４は、本実施形態において、処理実行制御手段を構成する。
【００３９】
設定値記憶部２５６は、トレイ設定などの初期設定の設定値を記憶する。設定値記憶部２５６は、特に機種依存の設定項目の設定値を記憶する。設定値記憶部２５６は、本実施形態における設定値記憶手段を構成する。
【００４０】
コンテンツ記憶部２５８は、当該画像形成装置１５０の機種に対応した機種依存の設定項目に関する機種依存設定画面を規定する機種依存設定画面情報を記憶する。なお、本実施形態において、機種依存設定画面情報は、ＨＴＭＬコードやＪａｖａＳｃｒｉｐｔ（登録商標）によるスクリプトコードを含むウェブ・コンテンツ・データとして提供される。コンテンツ記憶部２５８は、画面情報記憶手段を構成する。
【００４１】
ここで、コンテンツ記憶部２５８に記憶されるウェブ・コンテンツ・データは、機種依存の設定項目への設定値の設定操作を受け付ける操作受付部（ＧＵＩ部品）を定義する情報と、設定操作に応答して上記設定値記憶部２５６に機種依存の設定項目の設定値を設定する呼び出しを定義する情報（ＡＰＩ）とを含み得る。なお、好適な特定の実施形態において、機種依存設定画面は、背景色、画像情報、文字情報および音声情報から選択された少なくとも１つの属性に差異を有することにより、機器管理サーバ１１０から提供される共通設定画面と区別されてもよい。
【００４２】
ブラウザ部２６０は、画像形成装置１５０上でウェブ・クライアントとして動作するウェブ・ブラウザであり、より詳細には、ネットワーク接続部２６２と、コンテンツ表示部２６４とを含み構成される。
【００４３】
ネットワーク接続部２６２は、ブラウザ機能の一部であり、機器管理サーバ１１０上のウェブ・サーバ機能や、画像形成装置１５０内のウェブ・サーバ機能に対しネットワーク接続を行う。ネットワーク接続部２６２は、遷移先のＵＲＬ（Uniform Resource Locator：記憶位置識別情報）に対応して、共通設定項目の設定画面に関しては、機器管理サーバ１１０に対し、共通設定画面情報を要求し、機器管理サーバ１１０から共通設定画面情報のコンテンツ・データを取得する。ネットワーク接続部２６２は、機種依存の設定項目に関する設定画面に関しては、コンテンツ記憶部２５８に対し機種依存設定画面情報を要求し、コンテンツ記憶部２５８から機種依存設定画面情報のコンテンツ・データを取得する。ネットワーク接続部２６２は、本実施形態における要求手段および取得手段を構成する。
【００４４】
コンテンツ表示部２６４は、ブラウザ機能の一部であり、機器管理サーバ１１０から取得した、または、画像形成装置１５０内で取得した設定画面情報のコンテンツ・データに基づき、ウェブ・コンテンツの画面表示を行う。コンテンツ表示部２６４は、さらに、コンテンツ・データに含まれるＪａｖａＳｃｒｉｐｔ（登録商標）などによるスクリプトコードの処理を実行する。本実施形態によるコンテンツ表示部２６４は、画面遷移に応答して、機器管理サーバ１１０から取得した共通設定画面情報またはコンテンツ記憶部２５８から取得した機種依存設定画面情報に基づき、共通設定画面または機種依存設定画面を表示する。コンテンツ表示部２６４は、本実施形態における第１および第２表示手段を構成する。
【００４５】
機器構成管理部２６６は、画像形成装置１５０の周辺機器の接続状態などを検知しており、周辺機器の接続状態に応じてウェブ・コンテンツの差し替えを行う。例えば、画像形成装置１５０の特定の機能が有効ではない場合、その機能に対応する設定項目や選択肢が表示されないようにすることが望ましい。機器構成管理部２６６は、そのような場合に、特定の設定項目や選択肢を非表示としたウェブ・コンテンツ・データに変更したり、ウェブ・コンテンツ・データ内のスクリプトにデータを与えて、特定の設定項目や選択肢を非表示としたりすることができる。機器構成管理部２６６は、本実施形態において、周辺機器の接続状態に応じた機種依存の設定情報（設定項目や選択肢）が表示されるように機種依存設定画面情報を変更する変更手段を構成する。
【００４６】
以下、図５を参照して、機器管理サーバ１１０側および画像形成装置１５０側で保持される設定項目の設定値について説明する。図５は、本実施形態において、機器管理サーバ１１０側および画像形成装置１５０側でそれぞれ保持される設定項目の設定値を例示するテーブルである。機器管理サーバ１１０側では、図５（Ａ）に示すように、日付時刻、省エネルギータイマー、ファームウェア更新といった、複数の機種の画像形成装置間で共通の設定項目の設定値を保持する。ここで、共通の設定にする理由は、各画像形成装置で同じ設定値を繰り返し設定する作業が効率的ではないため、機器管理サーバ１１０側に一括で保持させて画像形成装置１５０を制御することにより、メンテナンス性を向上させるためである。説明する実施形態において、図５（Ａ）に示すような共通の設定項目の設定値は、機器管理サーバ１１０側の機器情報管理部２１８にて保持される。
【００４７】
これに対して、画像形成装置１５０側では、図５（Ｂ）に示すように、用紙トレイのサイズや紙種類、ハードディスク自動消去、高画質モードといった機種依存の設定項目の設定値を記憶する。ここで、機種依存の設定となる理由は、トレイの数、最大用紙サイズ、用紙種類、ＨＤＤの有無、高画質のスキャンや印刷ジョブの実行可否など、機種によって設定の選択肢および設定項目自体の両方または一方の有無が異なるためである。説明する実施形態において、図５（Ｂ）に示すような機種依存の設定項目の設定値は、画像形成装置１５０側の設定値記憶部２５６にて記憶される。
【００４８】
以下、図６〜図１０を参照しながら、機器管理システム１００で実行される各種設定処理およびその際の画面遷移について、より具体的に説明する。
【００４９】
図６は、本実施形態による機器管理システム１００で実行される各種設定処理を示すシーケンス図である。なお、図６に示すシーケンス図においては、初期状態として、画像形成装置１５０に搭載されたブラウザ部２６０上で、機器管理サーバ１１０から取得された初期設定に関するトップページである初期設定一覧画面のコンテンツが表示されているものとする。
【００５０】
ステップＳ１０１では、ユーザにより、初期設定一覧画面上で、システム共通の設定画面である日付時刻設定画面が選択される。初期設定一覧画面のコンテンツ・データ内には、日付時刻設定画面に対応して機器管理サーバ１１０側のＵＲＬが記載されている。ステップＳ１０２では、コンテンツ表示部２６４は、日付時刻設定画面の選択に応答して、遷移先画面のＵＲＬを抽出する。ステップＳ１０３では、コンテンツ表示部２６４は、ネットワーク接続部２６２に対し、抽出されたＵＲＬが示す機器管理サーバ１１０上の日付時刻設定画面に対応するコンテンツへの遷移を要求する。
【００５１】
ステップＳ１０４およびステップＳ１０５では、ネットワーク接続部２６２は、通信インタフェース部２５２を介して、機器管理サーバ１１０に対しコンテンツ取得を要求する。ステップＳ１０６では、機器管理サーバ１１０の通信インタフェース部２２０は、コンテンツ取得の要求に応答して、機器情報管理部２１８から該当コンテンツを取得し、画像形成装置１５０に対しコンテンツを応答する。このコンテンツには、共通設定項目である日付時刻の設定値を設定するための日付時刻設定画面を定義する情報およびＡＰＩが含まれる。ステップＳ１０７では、ネットワーク接続部２６２は、コンテンツを取得したことに応答して、コンテンツ表示部２６４に対し、コンテンツ表示を指示する。ステップＳ１０８では、コンテンツ表示部２６４は、日付時刻設定画面のコンテンツをブラウザ画面上に表示する。
【００５２】
ステップＳ１０９では、ユーザにより、初期設定一覧画面上で、機種依存の設定画面であるトレイ設定画面が選択される。初期設定一覧画面のコンテンツ・データ内には、トレイ設定画面に対応して当該画像形成装置１５０側のＵＲＬが記載されている。ステップＳ１１０では、コンテンツ表示部２６４は、ネットワーク接続部２６２に対し、ＵＲＬが示す画像形成装置１５０上のトレイ設定画面に対応するコンテンツへの遷移を要求する。
【００５３】
ステップＳ１１１では、ネットワーク接続部２６２は、コンテンツ記憶部２５８から該当コンテンツを取得する。このコンテンツには、機種依存の設定項目であるトレイ設定の設定値を設定するためのトレイ設定画面を定義する情報およびＡＰＩが含まれる。ステップＳ１１２では、ネットワーク接続部２６２は、コンテンツを取得したことに応答して、コンテンツ表示部２６４に対し、コンテンツ表示を指示する。ステップＳ１１３では、コンテンツ表示部２６４は、指示されたトレイ設定画面のコンテンツをブラウザ画面上に表示する。
【００５４】
ステップＳ１１４では、ユーザにより、トレイ設定画面上で、設定操作（例えば、用紙サイズＡ３を設定）が行われる。ステップＳ１１５では、コンテンツ表示部２６４は、設定操作に応答して、コンテンツ・データ内に含まれるスクリプトコードに従ってトレイ設定の設定値を設定するＡＰＩを呼び出す。ステップＳ１１６では、コンテンツ表示部２６４は、ＡＰＩ呼び出しに応答して、ネットワーク接続部２６２に対し、トレイ設定の設定値の設定を指示する。ステップＳ１１７では、ネットワーク接続部２６２は、トレイ設定の設定値の設定の指示に応答して、設定値記憶部２５６に対しトレイ設定の設定値を設定する。
【００５５】
なお、図６での説明においては、共通設定項目に対する設定操作の説明については、割愛したが、詳細は、後述する。
【００５６】
図７〜図９は、特定の実施形態において画像形成装置１５０のブラウザ画面上で表示される設定画面および画面間の遷移を説明する図である。図７〜図９において、符番３００は、機器管理サーバ１１０上のコンテンツに基づく設定画面であることを表し、一方、符番３５０は、画像形成装置１５０上のコンテンツに基づく設定画面であることを表す。
【００５７】
基本的な、画面フローとしては、機器管理サーバ１１０側で保持されるコンテンツが表示され、次のページに遷移する毎に、機器管理サーバ１１０から次の画面のコンテンツが取得される、という流れとなる。そして、本実施形態においては、特定の画面のコンテンツが、機器管理サーバ１１０ではなく、画像形成装置１５０内で取得されることになる。
【００５８】
図７に示すように、初期設定一覧画面３１０は、機器管理サーバ１１０上のコンテンツに基づくものである。初期設定一覧画面３１０は、日付時刻設定を呼び出す日付時刻設定ボタン３１２ａと、トレイ設定を呼び出すトレイ設定ボタン３１２ｂと、高画質設定を呼び出す高画質設定ボタン３１２ｃと、設定を反映するＯＫボタン３１６と、設定を破棄するキャンセルボタン３１８とを含む。
【００５９】
日付時刻設定は、複数の機種にわたり共通の設定項目であり、初期設定一覧画面３１０上で日付時刻設定ボタン３１２ａが押下されると、同じく機器管理サーバ１１０上のコンテンツである日付時刻設定画面３２０へと遷移される。日付時刻設定画面３２０は、年、月、日、時および分を入力するためのテキストボックス３２２ａ〜３２２ｅと、設定を反映するＯＫボタン３２６と、設定を破棄するキャンセルボタン３２８とを含む。
【００６０】
これに対して、トレイ設定は、機種依存の設定項目であり、初期設定一覧画面３１０上でトレイ設定ボタン３１２ｂが押下されると、画像形成装置１５０のコンテンツ記憶部２５８に格納されるコンテンツであるトレイ設定画面３６０へと遷移される。
【００６１】
図１０（Ａ）は、画像形成装置１５０のウェブ・コンテンツを呼び出す例について説明する図である。図１０（Ａ）中のＨＴＭＬコードでは、ボタンにより設定項目一覧の画面表示が定義されている。図１０（Ａ）中のＪａｖａＳｃｒｉｐｔ（登録商標）のスクリプトコードでは、特定のボタンに対する操作に応答して、画像形成装置１５０側のＵＲＬへアクセスする処理が定義されている。図１０（Ａ）に示すようなＨＴＭＬコードおよびスクリプトコードにより、画像形成装置１５０側のウェブ・コンテンツを呼び出す画面遷移が定義される。
【００６２】
画像形成装置１５０は、機器管理サーバ１１０に対し、ブラウザを介してＨＴＴＰ（HyperText Transfer Protocol）リクエストを送信して、図１０（Ａ）に示すようなＨＴＭＬコードおよびスクリプトコードを含む画面情報を取得し、初期設定一覧画面３１０を表示する。そして、初期設定一覧画面３１０上での特定の操作（例えばトレイ設定ボタン３１２ｂのクリック）に応答して、画面情報に含まれるスクリプトコードを実行することによって、画像形成装置１５０側のコンテンツ記憶部２５８から機種依存設定画面情報を取得し、機種依存設定画面（例えばトレイ設定画面３６０）に遷移させる。
【００６３】
再び、図７を参照すると、トレイ設定画面３６０は、各トレイの設定項目を示すラベル３６２ａ，３６２ｂと、ＧＵＩ部品３６４ａ，３６４ｂと、設定を反映するＯＫボタン３６６と、設定を破棄するキャンセルボタン３６８とを含む。ＧＵＩ部品３６４ａ，３６４ｂは、設定項目の現在設定されている設定値を示し、設定値を変更するために使用される。
【００６４】
図１０（Ｂ）は、画像形成装置の機種依存のＡＰＩを含むコンテンツを一例として説明する図である。図１０（Ｂ）中のＨＴＭＬコードでは、機種依存となるトレイ設定の用紙サイズボタンの画面表示が定義されている。図１０（Ａ）中のスクリプトコードでは、特定のリストに対する操作に応答して、画像形成装置１５０に対して各用紙サイズに合わせたＡＰＩを呼び出して、設定値を設定する処理が規定されている。図１０（Ｂ）に示すようなＨＴＭＬコードおよびスクリプトコードにより、設定時の動作が定義される。
【００６５】
再び図７を参照すると、高画質設定は、同様に、機種依存の設定項目であり、初期設定一覧画面３１０上で高画質設定ボタン３１２ｃが押下されると、画像形成装置１５０上のコンテンツである高画質設定画面３７０へと遷移される。高画質設定画面３７０は、画質を選択するためのボタン３７２ａ〜３７２ｃと、設定を反映するＯＫボタン３７６と、設定を破棄するキャンセルボタン３７８とを含む。
【００６６】
なお、図７では、トレイ設定や高画質設定は、複数の機種共通で設定自体は存在するが、個々の選択肢については、例えば、Ａ４機や、Ａ３機などのハードウェア構成に依存しているため、機種依存である設定項目となっている。このような、設定項目自体は共通であるが選択肢が機種依存となる設定項目の場合は、初期設定一覧画面３１０が共通設定画面となり、機器管理サーバ１１０側のコンテンツとして提供され得る。
【００６７】
図８は、他の実施形態において画像形成装置１５０のブラウザ画面上で表示される設定画面を例示する。図８に示す例は、高画質設定自体が共通に存在せず、特定の機種群に固有の設定項目として存在する場合に対応したものである。このような設定項目自体が機種依存の場合は、機器管理サーバ１１０上の初期設定一覧画面３３０から、画像形成装置１５０上の機種固有の拡張初期設定一覧画面３８０に一旦遷移する。そして、拡張初期設定一覧画面３８０から、高画質設定画面３７０へ遷移するよう構成される。
【００６８】
図８において、日付時刻設定は、共通の設定項目であり、初期設定一覧画面３３０上の日付時刻設定ボタン３３２ａが押下されると、機器管理サーバ１１０上の日付時刻設定画面３２０へ遷移する。これに対して、拡張初期設定は、機種依存であり、初期設定一覧画面３３０上の拡張初期設定ボタン３３２ｂが押下されると、画像形成装置１５０のコンテンツ記憶部２５８に記憶された拡張初期設定一覧画面３８０へ遷移する。拡張初期設定一覧画面３８０は、共に機種依存の設定項目である、高画質設定を呼び出すボタン３８２ａと、ＨＤＤ消去設定を呼び出すボタン３８２ｂとを含んでいる。図８の例において、高画質設定は、機種依存の設定項目であり、高画質設定ボタン３８２ａが押下されると、画像形成装置１５０上の高画質設定画面３７０へと遷移される。
【００６９】
なお、説明する実施形態は、設定項目自体が機種に依存する場合、および、設定項目は共通であるが選択肢が機種に依存する場合の両方の場合に対応することが可能である。
【００７０】
図７および図８に示す例では、機器管理サーバ１１０上のコンテンツである共通設定画面と、画像形成装置１５０上のコンテンツである機種依存設定画面とは、特に外観上区別されていなかった。図９は、さらに他の実施形態による画像形成装置１５０のブラウザ画面上に表示される設定画面を示す。
【００７１】
図９に示すように、特定の実施形態では、共通設定画面３１０，３２０と、機種依存設定画面３６０，３７０とが容易に区別できるように、共通設定画面の背景色３１０ａ，３２０ａと、機種依存設定画面の背景色３６０ａ，３７０ａとが異なるようにしてもよい。さらに、機種依存設定画面の特定の位置（例えば右上）に、当該設定画面が対象とする設定項目が機種依存であることを示す機種アイコン表示３６０ｂ，３７０ｂなどの画像情報を追加することもできる。さらに他の実施形態では、背景色および画像情報とともに、または、背景色および画像情報に代えて、特定の文字情報や音声を付すことにより、両者を判別できるようにしてもよい。これにより、画像形成装置１５０の置換えの際に、置換えによりいずれの画面が変化するのかをユーザに認識させ易くすることができる。
【００７２】
図１１は、本実施形態による機器構成管理部２６６が保持する周辺機器の接続状態を表す周辺機器接続状態テーブルを示す。画像形成装置１５０は、起動時に、機器構成管理部２６６により、周辺機器の接続状態を検知し、検知した接続状態に応じて、図１１に示すような周辺機器接続状態テーブルを更新する。周辺機器接続状態テーブルにおいて、大項目は、設定画面の単位に対応し、設定項目毎にアクティベート（活性化）の有効または無効の値が保持されている。同一の大項目内のすべての設定項目のアクティベートが無効の場合は、大項目のアクティベートが無効となる。図１１に示すような周辺機器接続状態テーブルに基づいて、機器構成管理部２６６は、機種依存のコンテンツの設定項目や選択肢を表示したり非表示にしたりし、動的に変更することができる。
【００７３】
なお、コンテンツの変更の方法は、特に限定されるものではないが、各設定の組み合わせ毎にコンテンツを複数準備しておき、アクティベート状態が合致する組み合わせに対応するコンテンツを読み込むようにすることができる。例えば、トレイ設定画面では、バンクトレイ１およびバンクトレイ２が有効のため、これらの設定項目を有するコンテンツおよび設定ＡＰＩのスクリプトコードのみが有効となり、バンクトレイ１のみの設定項目を有するコンテンツは無効とすることができる。
【００７４】
他の実施形態では、ＪａｖａＳｃｒｉｐｔ（登録商標）などのスクリプトコードによりアクティベートの有効または無効の状態を読み込み、その有効または無効の状態に合うように、設定項目を非表示にしたり、設定項目のリストから選択肢の表示または非表示を動的に制御することにより画面表示することができる。
【００７５】
画像形成装置１５０は、様々なオプションが接続される可能性があるところ、機器構成管理部２６６による差し替え処理により、周辺機器の接続状態によって設定できない設定項目や選択肢がある場合に対処することができる。
【００７６】
以下、図１２〜図１７を参照しながら、画像形成装置１５０を置換えた場合の機器管理システム１００の動作について説明する。以下、まず、図１２〜図１４を参照して、前提となる機器管理システム１００における画像形成装置１５０の置換え処理について説明する。
【００７７】
図１２は、本実施形態による機器管理システム１００での画像形成装置１５０の置換え処理を示すシーケンス図である。図１２に示す処理は、ステップＳ２０１で、ユーザにより、画像形成装置１５０のブラウザ部２６０を用いて、画像形成装置の置換え操作が行われたことに応答して、開始される。
【００７８】
図１３は、画像形成装置１５０などで表示される画像形成装置の置換え、返却および変更を行うためのライフサイクル管理画面を示す。なお、説明する実施形態では、画像形成装置１５０のブラウザ部２６０で表示されるものとして説明を続けるが、特に限定されるものではない。他の実施形態では、機器管理サーバ１１０のウェブ・サーバ機能にアクセスする他の端末が備えるブラウザ上で表示されてもよい。
【００７９】
図１３に示す発注画面４００は、特定の画像形成装置に関する情報を示しており、特定の画像形成装置の置換え、返却または変更の操作を行うために用いられる。図１３に示す発注画面４００は、論理デバイスＩＤ（図１３では単にデバイスＩＤとして示される。）、機種コード、設置場所などの情報を含むテーブル４０２と、変更を指示する変更ボタン４０４と、返却および置換えを指示する返却・置換えボタン４０６と、キャンセルボタン４０８とを含む。
【００８０】
発注画面４００上でボタン４０４が押下されると、設置場所変更画面４１０へと遷移される。図１３に示す設置場所変更画面４１０は、変更前の設置場所が示されるテキストボックス４１２と、変更後の設置場所を入力するためのテキストボックス４１４と、変更の実行の指示を受け付けるボタン４１６と、変更を取りやめるキャンセルボタン４１８とを含む。設置場所変更画面４１０上で、ユーザは、画像形成装置の設置場所の変更を行うことができる。
【００８１】
発注画面４００上でボタン４０６が押下されると、返却・置換え画面４２０へと遷移される。図１３に示す返却・置換え画面４２０は、返却または置換えにかかる特定の画像形成装置１５０の情報を示すテーブル４２２と、返却、同一機種での置換えおよび異なる機種での置換えの中から操作を選択するラジオボタン４２４と、操作を実行するＯＫボタン４２６と、返却および置換えを取りやめるキャンセルボタン４２８とを含む。返却・置換え画面４２０上で、ユーザは、画像形成装置の設置場所に対する返却・置換え操作を行うことができる。
【００８２】
再び図１２を参照する。ここでは、異なる機種での置換えの操作が行われたものとして説明を続ける。ステップＳ２０２では、画像形成装置１５０は、機器管理サーバ１１０のライフサイクル制御部２１２に対し、置換え対象の実デバイスＩＤ（図１２では機番として示す。）を指定した置換え要求を発行する。ステップＳ２０３では、ライフサイクル制御部２１２は、機器情報管理部２１８から、実デバイスＩＤに対応した設置場所や機種コードの情報を取得する。ステップＳ２０４では、ライフサイクル制御部２１２は、画像形成装置発注システムに対し、設置場所情報および機種コードとともに機器発注を通知する。
【００８３】
画像形成装置発注システムは、機器発注に応答して、新機器を発注し、新機器の実デバイスＩＤを返却する。このように、置換えが選択されると、画像形成装置発注システムに要求が通知される。なお、画像形成装置発注システムは、機器発注の要求に応答して実デバイスＩＤを返却する処理を自動で行う外部システムとして提供されてもよいし、メールなどで通知を受けて作業者が発注の上で新しい実デバイスＩＤを登録するような態様であってもよい。
【００８４】
ステップＳ２０５では、ライフサイクル制御部２１２は、機器マッピング部２１４に対し、マッピング情報の更新を要求する。ステップＳ２０６では、機器マッピング部２１４は、内部情報であるマッピング情報の更新を実行し、要求元の画像形成装置１５０に対して置換え完了を通知する。上記マッピング情報の更新により、従前の実デバイスＩＤが、新規に採番された実デバイスＩＤに置換えられる。ステップＳ２０７では、機器管理サーバ１１０からの置換え完了をユーザに対して通知する。
【００８５】
図１４は、本実施形態による機器管理サーバ１１０上で管理されるデータのデータ構造を示す。図１４（Ａ）は、実デバイスＩＤ識別される画像形成装置の情報を管理する装置情報管理テーブルを示す。図１４（Ａ）に示すように、機器情報管理部２１８は、実デバイスＩＤ毎に、設置場所、機種コード、カウンタ情報および設定情報を管理する。機種コードは、機種固有のコード番号などであり、当該画像形成装置１５０が初回接続した際に通知される。設置場所は、画像形成装置の設置場所を示す情報である。設置場所は、初回発注時に管理者などにより登録される。設定情報は、本実施形態においては、機種共通の設定項目に関する初期設定情報である。カウンタ情報は、設置後に印刷やスキャンのジョブ実行数およびページ数を計数した情報である。
【００８６】
図１４（Ｂ）は、論理デバイスＩＤおよび実デバイスＩＤのマッピング情報を管理するテーブルを示す。図１４（Ｂ）に示すように、機器マッピング部２１４は、論理デバイスＩＤ毎に、機器状態、稼働実デバイスＩＤおよび設置予定実デバイスＩＤを管理する。機器状態は、機器のライフサイクル状態を示す情報であり、機器状態としては、特に限定されるものではないが、「未設置」、「稼働中」、「置換え中」などを挙げることができる。
【００８７】
稼動実デバイスＩＤは、稼動中の画像形成装置の実デバイスＩＤを示す。機器状態が「置換え中」であっても、実際に置換わるまでは、置換え前の従前の実デバイスＩＤを保持する。機器状態が「未設置」の場合は、空となる。設置予定実デバイスＩＤは、発送して設置予定の画像形成装置の実デバイスＩＤを保持する。機器状態が「未設置」または「置換え中」の場合に、設置予定の新しい実デバイスＩＤを保持する。機器状態が「稼働中」の場合は、空となる。
【００８８】
例えば、置換え前の画像形成装置１５０の実デバイスＩＤが「１０００１」であり、置換え後の画像形成装置１５０の実デバイスＩＤが「２０００１」であるとした場合は、図１３に示すシーケンス図中のステップＳ２０６のマッピング更新では、以下の処理が行われる。すなわち、機器状態が「稼働中」から「置換え中」に変更され、稼動実デバイスＩＤは、「１０００１」から変更はなく、設置予定実デバイスＩＤが空から「２０００１」に更新ざれる。
【００８９】
なお、説明する実施形態では、実デバイスＩＤで置換え対象の画像形成装置１５０が指定されるものとして説明した。しかしながら、上述したように、実デバイスＩＤと、論理デバイスＩＤとは、機器マッピング部２１４により対応付けることができるので、実デバイスＩＤの代わりに、論理デバイスＩＤで置換え対象が指定されてもよい。
【００９０】
以下、図１５〜図１７を参照しながら、画像形成装置１５０を置換えた場合の機器管理システム１００における各部の動作について説明する。図１５および図１６は、画像形成装置１５０の置換え前後での各種設定処理を示すシーケンス図である。ここで、置換え前の画像形成装置をＡ、置換え後の画像形成装置をＢとして参照する。また、図１５に示すシーケンス図において、初期状態として、機器管理サーバ１１０から取得された初期設定一覧画面のコンテンツが表示されているものとする。
【００９１】
まず、図１５および図１６の前半部分を参照しながら、画像形成装置の置換え前のシーケンスについて説明する。図１５に示す処理は、ステップＳ３０１で、ユーザにより、初期設定一覧画面上で、共通設定画面が選択されたことに応答して開始される。初期設定一覧画面のコンテンツ・データ内には、共通設定画面に対応して機器管理サーバ１１０側のＵＲＬが記載されている。ステップＳ３０２では、コンテンツ表示部２６４は、共通設定画面の選択に応答して、遷移先画面のＵＲＬを抽出する。ステップＳ３０３では、コンテンツ表示部２６４は、ネットワーク接続部２６２に対し、論理デバイスＩＤを引数にして、抽出されたＵＲＬが示す機器管理サーバ１１０上の共通設定画面に対応するコンテンツへの遷移を要求する。
【００９２】
ステップＳ３０４およびステップＳ３０５では、ネットワーク接続部２６２は、通信インタフェース部２５２を介して、機器管理サーバ１１０に対しコンテンツ取得を要求する。ステップＳ３０６では、機器管理サーバ１１０の通信インタフェース部２２０は、機器情報管理部２１８に対し、論理デバイスＩＤを引数にして、コンテンツ取得を要求する。ステップＳ３０７では、機器情報管理部２１８は、機器マッピング部２１４から、指定された論理デバイスＩＤを引数にして、対応付けられる実デバイスＩＤを含むマッピング情報を取得する。
【００９３】
ステップＳ３０８では、機器情報管理部２１８は、取得した実デバイスＩＤを引数として、図１４（Ａ）に示す装置情報管理テーブルから設定情報を取得し、取得した設定情報に基づいて画像形成装置１５０にコンテンツを応答する。このコンテンツには、共通設定項目である設定項目の設定値を設定するための共通設定画面を定義する情報およびＡＰＩが含まれ、画像形成装置１５０のブラウザ画面上に表示される。
【００９４】
ステップＳ３０９では、ユーザにより、共通設定画面上で、設定値の設定操作が行われる。ステップＳ３１０では、コンテンツ表示部２６４は、設定操作に応答して、論理デバイスＩＤおよび設定値を引数にして、ネットワーク接続部２６２に対し、共通設定項目の設定値変更を要求する。ステップＳ３１２およびＳ３１３では、ネットワーク接続部２６２は、論理デバイスＩＤおよび設定値を引数にして、通信インタフェース部２５２を介して、機器情報管理部２１８に対し、設定値変更を要求する。
【００９５】
ステップＳ３１４では、機器管理サーバ１１０の通信インタフェース部２２０は、機器情報管理部２１８に対し、論理デバイスＩＤおよび設定値を引数にして、設定値変更を要求する。ステップＳ３１５では、機器情報管理部２１８は、機器マッピング部２１４から、論理デバイスＩＤを引数として、対応する実デバイスＩＤを取得する。ステップＳ３１６では、機器情報管理部２１８は、実デバイスＩＤをキーとして、引数として受け取った設定値で設定情報を更新する。
【００９６】
図１６に示すステップＳ４０１〜ステップＳ４１０で示す処理は、置換え前の画像形成装置Ａが利用されている場合の機種依存設定の設定処理を示す。画像形成装置Ａが利用されている場合、機種依存となるＨＤＤ自動消去の設定画面（ここで、ＨＤＤ自動消去の機能は、画像形成装置Ａは有するが、画像形成装置Ｂは有さないものとする。）のコンテンツが画像形成装置Ａのコンテンツ記憶部２５８に記憶されている。
【００９７】
ステップＳ４０１では、ユーザにより、機種依存の設定画面であるＨＤＤ消去設定画面が選択される。ステップＳ４０２では、コンテンツ表示部２６４は、画面遷移先のＵＲＬを抽出する。ステップＳ４０３では、コンテンツ表示部２６４は、ネットワーク接続部２６２に対し、ＵＲＬが示す画像形成装置１５０上のＨＤＤ消去設定画面に対応するコンテンツへの遷移を要求する。ステップＳ４０４では、ネットワーク接続部２６２は、コンテンツ記憶部２５８から該当コンテンツを取得する。ステップＳ４０５では、ネットワーク接続部２６２は、コンテンツ表示部２６４に対し、コンテンツ表示を指示する。ステップＳ４０６では、コンテンツ表示部２６４は、指示されたＨＤＤ消去設定画面をブラウザ画面上に表示する。
【００９８】
ステップＳ４０７では、ユーザにより、ＨＤＤ消去設定画面上で、設定値の設定を行う操作が行われる。ステップＳ４０８では、コンテンツ表示部２６４は、設定操作に応答して、ＨＤＤ消去設定の設定値（図１６に示す例では、「有効：ＤＯＳ方式」）を設定するＡＰＩを呼び出す。ステップＳ４０９では、コンテンツ表示部２６４は、ネットワーク接続部２６２に対し、ＨＤＤ消去設定の設定値設定を要求する。ステップＳ４１０では、ネットワーク接続部２６２は、設定値記憶部２５６に対し、ＨＤＤ消去設定の設定値を設定する。
【００９９】
図１７（Ａ）は、画像形成装置１５０を置換える前の画面遷移を示す。初期設定一覧画面３３０は、機器管理サーバ１１０からのコンテンツに基づいて表示される。共通の日付時刻設定画面３２０も、機器管理サーバ１１０からのコンテンツを取得して表示され、設定値変更も機器管理サーバ１１０へと通知されて設定変更される。日付時刻設定画面３２０において、ＯＫボタン３２６が押下されると初期設定一覧画面３３０に戻される。
【０１００】
初期設定一覧画面３３０上で拡張初期設定ボタン３３２ｂが押下されると、置換え前の画像形成装置Ａの機種依存設定画面であるＨＤＤ消去設定画面３９０ａが表示される。ＨＤＤ消去設定画面３９０ａ上で、ＤＯＳ方式ボタン３９２ａが押下されると、ＤＯＳ方式ボタン３９２ａが反転表示になる。さらに、ＯＫボタン３９６ａが押下されると、画像形成装置１５０へ設定値設定の処理が呼び出され、ＨＤＤ消去設定として、ＤＯＳ方式が設定される。
【０１０１】
引き続き、図１５および図１６の後半部分を参照して、画像形成装置の置換え後のシーケンスについて説明する。なお、共通設定項目については、置換え前後において変更はなく、図１５に示すステップＳ３０１〜Ｓ３１６と同一の処理により、共通設定画面の表示および共通設定項目の設定値の更新が行われる。以下、図１６の後半部分を参照しながら、置換えの前後において機器管理サーバ１１０上の動作に変更がないことを確認する。
【０１０２】
図１６に示すステップＳ５０１〜ステップＳ５１０で示す処理は、置換え後の画像形成装置Ｂが利用されている場合の機種依存設定の設定処理を示す。画像形成装置Ａから画像形成装置Ｂに置換えられた場合、機種依存となる高画質モード設定画面（ここで、高画質モードが画像形成装置Ａに無く、画像形成装置Ｂにあるものとする。）が画像形成装置Ｂのコンテンツがコンテンツ記憶部２５８に記憶されている。
【０１０３】
ステップＳ５０１では、ユーザにより、機種依存の設定画面である高画質モード設定画面が選択される。ステップＳ５０２では、コンテンツ表示部２６４は、画面遷移先のＵＲＬを抽出する。ステップＳ５０３では、コンテンツ表示部２６４は、ネットワーク接続部２６２に対し、ＵＲＬが示す画像形成装置１５０上の高画質モード設定画面に対応するコンテンツへの遷移を要求する。ステップＳ５０４では、ネットワーク接続部２６２は、コンテンツ記憶部２５８から該当コンテンツを取得し、ステップＳ５０５では、コンテンツ表示部２６４に対し、コンテンツ表示を指示する。ステップＳ５０６では、コンテンツ表示部２６４は、指示された高画質モード設定画面のコンテンツをブラウザ画面上に表示する。
【０１０４】
ステップＳ５０７では、ユーザにより、高画質モード設定画面上で、設定値を設定する操作が行われる。ステップＳ５０８では、コンテンツ表示部２６４は、設定操作に応答して、高画質モード設定の設定値（図１６に示し例では、高品質写真）を設定するＡＰＩを呼び出す。ステップＳ５０９では、コンテンツ表示部２６４は、ネットワーク接続部２６２に対し、高画質モード設定の設定値の設定を要求する。ステップＳ５１０では、ネットワーク接続部２６２は、設定値記憶部２５６に対し高画質モード設定の設定値を設定する。
【０１０５】
図１７（Ｂ）は、画像形成装置１５０の置換え後の画面遷移について説明する。共通の初期設定一覧画面３３０は、置換え前と同じ画面であり、共通設定となる日付時刻設定画面３２０も置換え前と同じ画面遷移となる。初期設定一覧画面３３０の拡張初期設定ボタン３３２ｂが押下されると置換え後の画像形成装置Ｂの機種依存の設定画面３９０ｂが開かれる。画像形成装置Ｂには、ＨＤＤ消去機能はなく、高画質設定があるため、高画質設定画面が表示される。高画質設定画面３９０ｂ上で、高品質写真ボタン３９２ｂが押下されると、ボタン３９２ｂが反転表示となり、ＯＫボタン３９６ｂされると、高品質写真の設定値を設定する設定値設定の処理により、高品質モード設定として高品質写真が設定される。
【０１０６】
以上、図１５〜図１７を参照して説明したように、機器管理サーバ１１０上の共通設定に関する共通設定画面は、画像形成装置１５０が置換わっても特に変更なく、設定処理が行われる。さらに、機種依存の設定に関しても、画像形成装置１５０が機種依存した設定値、設定画面およびＡＰＩを保持している。このため、機器管理サーバ１１０側では特に変更はなく、機器管理サーバ１１０側での開発や設定変更をすることなく機種依存の設定をブラウザベースのユーザ・インタフェースとして実現することができる。特に、設定値を設定するためのＡＰＩは、リモート操作が禁止されている場合もある。本実施形態では、画像形成装置１５０内部でコンテンツが動作することため、リモート操作が禁止されていても問題は生じない。
【０１０７】
以下、図１８〜図２１を参照しながら、変形例の実施形態による設定処理を実行する機器管理システムについて説明する。
【０１０８】
上述した実施形態では、共通設定画面および機種依存設定画面は、それぞれ、異なる画面としてブラウザ部２６０のコンテンツ表示部２６４に表示されるものとして説明した。しかしながら、共通設定画面および機種依存設定画面の表示形態は、特に限定されるものではなく、コンテンツ表示部２６４は、共通設定画面および機種依存設定画面を結合した形で設定画面を表示することもできる。
【０１０９】
図１８および図１９は、そのような結合した設定画面を表示する他の実施形態について説明する。図１８は、他の実施形態による機器管理システム１００で実行される設定処理を示すシーケンス図である。なお、トレイ設定画面を選択し、トレイ設定画面を表示するまでのステップＳ６０１〜ステップＳ６０８の処理は、図６に示したステップＳ１０１〜ステップＳ１０８の処理と同様であるため、説明を割愛する。
【０１１０】
機器管理サーバ１１０から取得したコンテンツを表示すると、画面上の半分の該当する部分のみが表示された状態となる。ステップＳ６０９では、コンテンツ表示部２６４は、さらに、画像形成装置１５０上のコンテンツを取得することの要否を判定する。ステップＳ６０９で、画像形成装置１５０上のコンテンツを取得することが必要であると判定された場合は、ステップＳ６１０へ処理が進められる。ステップＳ６１０では、コンテンツ表示部２６４は、残り半分の画面を取得するため、スクリプトコードの処理により、画像形成装置１５０側のコンテンツを取得する処理が動作する。ステップＳ６１１では、ネットワーク接続部２６２は、コンテンツ記憶部２５８から画像形成装置１５０上の該当コンテンツを取得する。ステップＳ６１２では、ネットワーク接続部２６２は、コンテンツ表示部２６４に対し、残りの部分のコンテンツ表示を指示する。ステップＳ６１３では、コンテンツ表示部２６４は、残りの部分のコンテンツをブラウザ画面上に表示する。
【０１１１】
ステップＳ６０８に示す共通設定画面を表示するステップと、ステップＳ６１３に示す種依存設定画面を表示するステップとを実行することにより、図１９（Ａ）に示すような共通設定画面および機種依存設定画面が結合された設定画面が表示される。
【０１１２】
図１９（Ａ）は、機器管理サーバ１１０から取得した共通設定画面と、画像形成装置１５０内で取得した機種依存設定画面とを上下分割でそれぞれ表示する場合の結合された設定画面を例示する。例えば、トレイ１に対する用紙サイズ設定の場合、Ａ４やＡ５など機種に共通したサイズについてのＧＵＩ部品４３２は、機器管理サーバ１１０側で保持することができる。一方、Ａ３やハガキ、不定形は、一般的に機種依存のサイズとなるため、画像形成装置側で保持することが好ましい。図１９（Ａ）に示す設定画面は、このような場合に好適であり、上半分および下半分をフレーム分割し、一画面にマージして表示が行われる。図１９（Ｂ）に示すＨＴＭＬコードは、一例であり、インラインフレーム（ｉｆｒａｍｅタグ）を使用して、図１９（Ａ）に示すような結合した設定画面を定義するものであり、如何なる実装を採用することができる。
【０１１３】
上述した実施形態では、画像形成装置１５０上のコンテンツへ遷移するか否かは、前画面のコンテンツ・データ内に遷移先として画像形成装置１５０のＵＲＬが記載されているか否かによって分岐した。しかしながら、前画面のコンテンツ・データ内に遷移先として画像形成装置１５０側のＵＲＬが記載されていなくとも、データ内の遷移先を示すＵＲＬを解析し、解析結果に基づいて、遷移先の設定画面を規定する画面情報が当該画像形成装置１５０に記憶されているかを判定することもできる。以下、そのような、データ内の遷移先を示すＵＲＬの解析結果に基づいて、遷移先画面の取得先を判定する好ましい実施形態について説明する。
【０１１４】
図２０は、他の実施形態による画像形成装置が実行するＵＲＬの解析により遷移先画面の取得先を判定する処理を示すフローチャートである。
【０１１５】
図２０に示す処理は、ステップＳ７００から開始され、ステップＳ７０１では、コンテンツ表示部２６４は、表示中のコンテンツ上でユーザにより指定された設定画面への設定画面遷移を検出し、次の設定画面のＵＲＬを抽出する。ステップＳ７０２では、コンテンツ表示部２６４は、抽出したＵＲＬ情報に基づいて、機器管理サーバ１１０側へのリクエストを発行する。この、リクエスト情報は、ブラウザ部２６０のネットワーク接続部２６２を経由することになる。ステップＳ７０３では、ネットワーク接続部２６２は、コンテンツ表示部２６４から受け取ったリクエスト情報に含まれるＵＲＬを解析し、ステップＳ７０４で、条件と比較することによって、取得先を判定し、処理を分岐させる。
【０１１６】
ステップＳ７０４で、取得先が機器管理サーバ１１０であると判定された場合（取得先＝機器管理サーバ）は、ステップＳ７０５へ処理が進められる。ステップＳ７０５では、ネットワーク接続部２６２は、そのままＵＲＬが示す通り機器管理サーバ１１０に対しリクエストを送信し、機器管理サーバ１１０上の次の設定画面のコンテンツを取得し、ステップＳ７０７で、本処理を終了する。
【０１１７】
一方、ステップＳ７０４で、取得先が画像形成装置１５０であると判定された場合（取得先＝画像形成装置）は、ステップＳ７０６へ処理が分岐される。ステップＳ７０６では、ネットワーク接続部２６２は、機器管理サーバ１１０側へ通知するはずであったリクエストの要求先を、画像形成装置１５０側へと変更し、当該画像形成装置１５０上の次の設定画面のコンテンツを取得する。そして、ステップＳ７０７で、本処理が終了する。
【０１１８】
なお、ステップＳ７０４の取得先を判定する条件としては、例えば、ＵＲＬのパスに「ｍｆｐ」や「ｄｅｖｉｃｅ」といった画像形成装置を示唆するＵＲＬ記述が検出されることを条件とすることができる。これにより、機器管理サーバ１１０であったリクエスト先のアドレスを、画像形成装置１５０内に変更して転送することができる。図２０に示す処理を適用することにより、一度ブラウザでの対応を行えば、それ以降のメンテナンスの必要性は無くなる。
【０１１９】
以下、さらに、図２１を参照しながら、機器管理サーバ１１０上のコンテンツから画像形成装置１５０上のコンテンツへと遷移した場合に、ブラウザ画面上での戻る操作に対処する好適な実施形態について説明する。
【０１２０】
図２１は、ブラウザ画面上での戻る操作に対処した処理を示すフローチャートである。図２１に示す処理は、ステップＳ８００から開始される。ステップＳ８０１では、コンテンツ表示部２６４は、サーバ上の共通設定画面のコンテンツを表示する。ステップＳ８０２では、ユーザ操作によって次の設定画面の選択を受け付ける。ステップＳ８０３では、コンテンツ表示部２６４は、次の設定画面が機器管理サーバ１１０上のコンテンツであるか否かを判定する。ステップＳ８０３で、次の設定画面が、機器管理サーバ１１０上のコンテンツであると判定された場合（ＹＥＳ）は、ステップＳ８０４へ処理が進められる。ステップＳ８０４では、コンテンツ表示部２６４は、機器管理サーバ１１０上から取得した次の設定画面のコンテンツを表示し、ステップＳ８１１で本処理を終了する。
【０１２１】
一方、ステップＳ８０３で、機器管理サーバ１１０上のコンテンツではないと判定された場合（ＮＯ）は、ステップＳ８０５へ処理が進められる。ステップＳ８０５では、コンテンツ情報をコンテンツ記憶部２５８に保存する。このコンテンツ情報には、前画面の画面情報、設定ＡＰＩ、およびそれまで操作してきた画面操作のヒストリを含むことができる。保存した後、ステップＳ８０６では、当該画像形成装置１５０上の次の設定画面のコンテンツを取得する。ステップＳ８０７で、当該画像形成装置１５０上の次の設定画面のコンテンツを表示する。
【０１２２】
ステップＳ８０８では、戻るキーが押下されたか否かに応じて処理を分岐させる。ステップＳ８０８で、戻るキーが押下されたと判定された場合（ＹＥＳ）は、ステップＳ８０９へ処理が進められる。ステップＳ８０９では、コンテンツ表示部２６４は、コンテンツ記憶部２５８に保存したサーバ上のコンテンツを読み出す。ステップＳ８１０では、コンテンツ表示部２６４は、取得したサーバ上のコンテンツを表示し、最後に表示していた画面（ユーザから見ると前画面）を遷移前の状態に戻し、ステップＳ８１１で本処理を終了する。一方、ステップＳ８０８で、戻るキーが押下されなかったと判定した場合（ＮＯ）は、ステップＳ８１１へ処理を分岐し、本処理を終了する。
【０１２３】
なお、戻る操作に関しては、上述した戻るキーの押下に限定されず、例えば、ポップアップ画面のように、機器管理サーバ１１０上のコンテンツの前面に画像形成装置のコンテンツを表示し、戻るキーの際に前面のコンテンツを非表示にするという技術に対して適用しても良いことは言うまでもない。
【０１２４】
以上説明したように、本実施形態によれば、ネットワークを介して互いに接続される管理装置および情報機器を含む情報処理システムにおいて、共通設定に関する共通設定画面を規定する設定画面情報を、機種依存の設定画面情報から切り離して管理装置上で管理することを可能とし、機種依存の部分の変更に伴う管理装置側での負荷を軽減することが可能な情報処理システム、設定方法、情報機器およびプログラムを提供することができる。
【０１２５】
なお、上記機能部は、アセンブラ、Ｃ、Ｃ＋＋、Ｃ＃、Ｊａｖａ（登録商標）などのレガシープログラミング言語やオブジェクト指向プログラミング言語などで記述されたコンピュータ実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤカード、ＭＯなど装置可読な記録媒体に格納して、あるいは電気通信回線を通じて頒布することができる。
【０１２６】
これまで本発明の実施形態について説明してきたが、本発明の実施形態は上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【０１２７】
１００…機器管理システム、１０２…公衆ネットワーク、１０４…ローカル・エリア・ネットワーク、１０６…オフィス、１１０…機器管理サーバ、１５０…画像形成装置、２１０，２５０…モジュール構成、２１２…ライフサイクル制御部、２１４…機器マッピング部、２１６，２５４…ジョブ制御部、２１８…機器情報管理部、２２０，２５２…通信インタフェース部、２５６…設定値記憶部、２５８…コンテンツ記憶部、２６０…ブラウザ部、２６２…ネットワーク接続部、２６４…コンテンツ表示部、２６６…機器構成管理部、３１０，３２０，３３０…共通設定画面、３１０ａ，３２０ａ…背景色、３６０，３７０，３８０，３９０…機種依存設定画面、３６０ｂ，３７０ｂ…機種アイコン表示、４００…発注画面、４１０…設置場所変更画面、４２０…返却・置換え画面、１２，５２…ＣＰＵ、１４，５６…ＲＡＭ、１６，５４…ＲＯＭ、１８…ＨＤＤ、２０…入力装置、２２…表示装置、２４，６０…通信インタフェース機器、５０…コントローラボード、５８…画像メモリ、６２…操作パネル、６４…スキャナ、６６…プロッタ
【先行技術文献】
【特許文献】
【０１２８】
【特許文献１】特許第３７８０２０５号公報
【図１】
0006613940.tif 000002
【図２】
0006613940.tif 000003
【図３】
0006613940.tif 000004
【図４】
0006613940.tif 000005
【図５】
0006613940.tif 000006
【図６】
0006613940.tif 000007
【図７】
0006613940.tif 000008
【図８】
0006613940.tif 000009
【図９】
0006613940.tif 000010
【図１０】
0006613940.tif 000011
【図１１】
0006613940.tif 000012
【図１２】
0006613940.tif 000013
【図１３】
0006613940.tif 000014
【図１４】
0006613940.tif 000015
【図１５】
0006613940.tif 000016
【図１６】
0006613940.tif 000017
【図１７】
0006613940.tif 000018
【図１８】
0006613940.tif 000019
【図１９】
0006613940.tif 000020
【図２０】
0006613940.tif 000021
【図２１】
0006613940.tif 000022